(57)【要約】【課題】似たような内容の印刷物が何枚もプリントアウトされた場合に、最終確定した印刷物がどれなのかを、容易に判別できるようにした回転駆動シート式の電子黒板を提供する。【解決手段】回転駆動可能なシート体をスクロール機構で移動させて、順次書き込み可能な個別に区切られた記録面を構成可能とし、前記記録面に書き込まれた画像を読取手段で読み取り、読み取った画像を印刷手段で印刷媒体に印刷する回転駆動シート式の電子黒板において、印刷媒体に印刷する際に、読取手段で読み取った個別の記録面の画像に加えて、該個別の記録面を識別する個別記録面識別符号と、該個別の記録面への書き込みバージョンを識別するバージョン識別符号とを、同時に印刷する。【選択図】　　図６
2004088673.tif 000002
【特許請求の範囲】
【請求項１】
回転駆動可能なシート体をスクロール機構で移動させて、順次書き込み可能な個別に区切られた記録面を構成可能とし、前記記録面に書き込まれた画像を読取手段で読み取り、読み取った画像を印刷手段で印刷媒体に印刷する回転駆動シート式の電子黒板において、
前記印刷媒体に印刷する際に、前記読取手段で読み取った個別の記録面の画像に加えて、該個別の記録面を識別する個別記録面識別符号と、該個別の記録面への書き込みバージョンを識別するバージョン識別符号とを、同時に印刷することを特徴とする回転駆動シート式の電子黒板。
【請求項２】
請求項１記載の回転駆動シート式の電子黒板において、
前記個別記録面識別符号とバージョン識別符号とを印刷した印刷媒体が複数である場合に、該複数の印刷媒体に印刷した個別記録面識別符号と最終のバージョン識別符号とを表形式で印刷することを特徴とする回転駆動シート式の電子黒板。
【発明の詳細な説明】
【０００１】
【発明の属する技術分野】
本発明は、回転駆動シート式の電子黒板に関し、特に、似たような内容の印刷物が何枚もプリントアウトされた場合に、最終確定した印刷物がどれなのかを、容易に判別できるようにした回転駆動シート式の電子黒板に関する。
【０００２】
【従来の技術】
会議等で使用される、複数の記録面を持つ回転駆動シート式の電子黒板が知られている。
図７は、従来の回転駆動シート式電子黒板１００の一例である。
図７に示すように、電子黒板１００は、専用の筆記具（図示省略）で書き込むエンドレスのシート体１０１と、該シート体１０１を回転駆動するシート体駆動部１０２と、シート体１０１に記録された文字等を読み取る記録面読取部１０３と、該記録面読取部１０３が読み取った文字等を印刷出力する印刷部１０４とを備えてなる。
【０００３】
そして、会議等で電子黒板１００を使用する場合には、会議の進行に応じてシート体１０１の記録面に書き込んでいき、その記録面への書き込みが終了すると、記録面読取部１０３により記録面を読み取り、その読み取った内容を印刷部１０４からプリントアウトする。
次いで、書き込みが終了したシート体１０１をシート体駆動部１０２により回転駆動して次の記録面を登場させ、次の記録面に書き込み可能となるようにする。
ところで、このような電子黒板１００において、或る記録面を一度印刷した後に、この記録面に対する追記や修正が必要になる場合がある。更に、場合によっては、追記や修正を複数回、繰り返すことがある。
【０００４】
【発明が解決しようとする課題】
しかしながら、前記追記や修正を繰り返しながら、その都度、印刷をした場合には、どれが確定した印刷物なのか、分かり難いという問題がある。即ち、一部だけ異なる印刷物が何枚もプリントアウトされているので、どれが確定した印刷物なのか、分かり難いという問題がある。
【０００５】
本発明は、上記の事情にかんがみなされたもので、似たような内容の印刷物が何枚もプリントアウトされた場合に、最終確定した印刷物がどれなのかを、容易に判別できるようにした回転駆動シート式の電子黒板の提供を目的とする。
【０００６】
【課題を解決するための手段】
上記目的を達成するため請求項１記載の発明は、回転駆動可能なシート体をスクロール機構で移動させて、順次書き込み可能な個別に区切られた記録面を構成可能とし、前記記録面に書き込まれた画像を読取手段で読み取り、読み取った画像を印刷手段で印刷媒体に印刷する回転駆動シート式の電子黒板において、
前記印刷媒体に印刷する際に、前記読取手段で読み取った個別の記録面の画像に加えて、該個別の記録面を識別する個別記録面識別符号と、該個別の記録面への書き込みバージョンを識別するバージョン識別符号とを、同時に印刷する構成としてある。
【０００７】
このようにすれば、例えば図６に示すように、印刷物３０Ｂには、電子黒板に書かれた文字等の画像に加えて、個別の記録面の画像を識別する個別記録面識別符号（ページ番号）と、個別の記録面へのバージョンを識別するバージョン識別符号（バージョン番号）とを同時に印刷するので、印刷物３０Ｂの内容と、個別記録面識別符号（この場合はページ番号「１」）とバージョン番号（バージョン番号「２」）を容易に判別できる。
【０００８】
次に請求項２記載の発明は、請求項１記載の回転駆動シート式の電子黒板において、
前記個別記録面識別符号とバージョン識別符号とを印刷した印刷媒体が複数である場合に、該複数の印刷媒体に印刷した個別記録面識別符号と最終のバージョン識別符号とを表形式で印刷する構成としてある。
このようにすれば、例えば図３（Ｂ）に示すように、サマリ印刷物３０Ａとして個別記録面識別符号（ページ番号）と最終のバージョン識別符号（バージョン番号）とを表形式で印刷するので、印刷物の全体のバージョン番号を一目で判別することができる。
【０００９】
【発明の実施の形態】
以下、本発明を図示の実施形態に基づいて説明する。
図１は本実施形態の電子黒板ＤＫの全体構成図である。
図１に示すように、電子黒板ＤＫは、機構系１０と制御系２０とを備えてなる。
機構系１０は、専用の筆記具で書き込み可能な記録面を有するシート体１１を略筒状に形成し、該シート体１１を図示省略の回転駆動部によりエンドレス式に回転駆動させる構成にしてなる。シート体１１は、次に説明する記録面スクロール制御部２２により、一方向（矢印方向）に記録面を個別に区切って順次スクロール移動する。
【００１０】
次に、制御系２０を説明する。
記録面読取部２１は、ＣＣＤ等からなり、記録面に書き込まれた文字等を読み取る。
記録面スクロール制御部２２は、前述のようにシート体１１を一方向にスクロール移動させる制御を行う。図２（Ａ）に示すように、シート体１１を矢印方向にスクロールすることで、シート体１１に個別に区切って複数のページ（記録面）を形成することができる。
【００１１】
図２（Ａ）では、第１の記録面に対する記録面番号が「１」，ページ番号が「１」，バージョン番号が「１」であり、第２の記録面に対する記録面番号が「２」，ページ番号が「２」，バージョン番号が「２」である場合を示す。
即ち、第１，第２の記録面に書き込まれた文字等は、全記録面が「２ページ」であり、第１の記録面がバージョン番号「１」、第２の記録面がバージョン番号「２」である場合を示す。
【００１２】
ページ番号・バージョン番号記憶部２３は、現在利用者に見えている記録面の番号と、全記録面に対応するページ番号とバージョン番号の対応テーブル（図３（Ａ）参照）を保持する。
画像記憶部２４は、書き込まれた文字等を印刷するためのページ画像を保持する。ページ画像は記録面読取部２１から供給される。
また、図２（Ｂ）に示すように、印刷ページ（印刷物）３０の特定部位（例えば、印刷物３０の右下）にページ番号とバージョン番号を印字するため、ページ番号・バージョン番号記憶部２３より印字データ（ページ番号，バージョン番号）が、ページ・バージョン印字部２５に供給される。
【００１３】
また、これまで印刷したページ番号と最新のバージョンを一覧で印字するサマリ印刷（図３（Ｂ）参照に示すサマリ印刷物３０Ａ）をプリントアウトするために、表生成部２７では、図３（Ｃ）に示すページ番号とバージョン番号の対応テーブルを保持している。そして、サマリ印刷実行時に保持している前記テーブルと、さらにページ番号・バージョン番号記憶部２３よりページ番号と最新のバージョン番号の供給を受けて、表画像を画像記憶部２４に展開する。
【００１４】
印刷制御部２６は、印刷指示を受けて画像記憶部２４のデータを印刷出力する。
操作パネル２８は、記録面のスクロールを指示するスクロール指示ボタン２８ａ、印刷制御部２６に印刷を指示する印刷指示ボタン２８ｂ、現在の記録面のページを新規のものと通知するための新規ページボタン２８ｃを持つ。更に、操作パネル２８は、これまで印刷したページ番号と最新バージョン番号を表形式（図３（Ｂ）参照）で印刷指示するためのサマリ印刷ボタン２８ｄ、そして電子黒板装置が保持するページ番号・バージョン番号記憶部２３を初期化するクリアボタン２８ｅを持つ。
中央処理部２９では操作パネル２８上の操作にしたがい、以上で述べた各部位の制御を実行する。
【００１５】
以下、図４に示すフローチャートに基づいて、本実施形態の電子黒板ＤＫの動作を説明する。
電子黒板の初期状態は、ページ番号・バージョン番号記憶部２３の内部カウンタを初期化して（ステップＳ１）、操作パネル２８からのキー入力を待機する（ステップＳ２）。
【００１６】
＜クリア処理＞
クリアボタン２８ｅの押下によりページ番号・バージョン番号記憶部２３の内部カウンタが初期化され、再度操作パネル２８のキー入力待機状態になる（ステップＳ３）。
【００１７】
＜ページ印刷処理＞
ページ印刷指示ボタン２８ｂが押されると（ステップＳ４：Ｙｅｓ）、中央処理部２９は記録面スクロール制御部２２に指示を出し、記録面読み取りと次ページへの移動のため記録面をスクロールさせる（ステップＳ５）。同時に記録面読取部２１を駆動し、記録面読取部２１はスクロール速度に追従して記録面を１ページ分読み取りながら画像記憶部２４に読み取り画像をバッファリングする（ステップＳ６）。
【００１８】
その一方で中央処理部２９はページ・バージョン印字部２５を駆動し、印刷中の記録面番号に対応するページ番号とバージョン番号をページ番号・バージョン番号記憶部２３から受け取り、画像記憶部２４に印字データを展開する（ステップＳ７）。
ここで中央処理部２９は、ページ番号・バージョン番号記憶部２３の印刷中の記録面番号に対応するページ番号のバージョン番号を加算する（ステップＳ８）。図５（Ａ）がバージョン番号加算例であり、記録面番号が「１」である時に、記録面に対応したバージョン番号を加算して「１」にしている。
【００１９】
記録面がスクロールしたので、ここで記録面番号加算処理ルーチンが実行される（ステップＳ９）。スクロールは一方向であり単純に記録面番号が加算されるが（ステップＳ９ａ）、最大記録面数を超えると（ステップＳ９ｂ：Ｙｅｓ）、０に戻る（ステップＳ９ｃ）。
最後に中央処理部２９は印刷制御部２６にも起動をかけ（ステップＳ１０）、印刷制御部２６では画像記憶部２４にデータが格納されると印刷を開始し、印刷完了後、再び操作パネル２８の入力待機状態に戻る。
【００２０】
印刷完了後の印刷物の一例を、図６に示す。即ち、図６に示すように、印刷物３０Ｂには、電子黒板ＤＫの記録面に書かれた文字やグラフ等が印刷されると共に、右下にページ番号（この場合は「１」）とバージョン番号（この場合は「２」）が印字される。従って、この印刷物３０Ｂを一見すれば、電子黒板ＤＫに書かれた文字等のページ番号とバージョン番号を一目で判別することができる。
【００２１】
＜サマリ印刷処理＞
サマリ印刷ボタン２８ｄが押されると（ステップＳ１２：Ｙｅｓ）、中央処理部２９はサマリ印刷のための表画像を生成する表生成部２７を起動する（ステップＳ１３）。表生成部２７は内部に保持している確定済みのページ番号とバージョン番号テーブルに加えて、ページ番号・バージョン番号記憶部２３より未確定のページ番号とバージョン番号のペア群の供給を受けて画像記憶部２４に印字用の表画像を生成する。
続いて中央処理部２９は印刷制御部２６を起動し（ステップＳ１０）、印刷完了後（ステップＳ１１：Ｙｅｓ）、再び操作パネル２８の入力待機状態に戻る。サマリ印刷物の例が、前記図３（Ｂ）に示したサマリ印刷物３０Ａである。
【００２２】
＜スクロール処理＞
スクロール指示ボタン２８ａが押されると（ステップＳ１４：Ｙｅｓ）、中央処理部２９は記録面スクロール制御部２２にスクロール指示をし（ステップＳ１５）、記録面がスクロールする。ここで上述の記録面番号加算ルーチンが実行される（ステップＳ１６）。スクロール完了後、再び操作パネル２８入力待機状態に戻る。
【００２３】
＜新規ページ追加処理＞
ある記録面で新規ページボタン２８ｃが押されると、この記録面の記録面番号に対応するページ番号のバージョン番号を確定（最終版）とし、この記録面に対して新たなページ番号を割り当てる。
具体的には、中央処理部２９が表生成部２７に指示し、現在の記録面番号に対応するページ番号とバージョン番号をページ番号・バージョン番号記憶部２３から表生成部２７が読み出して表生成部２７内部のテーブルに保持する（ステップＳ１７）。次に中央処理部２９はページ番号・バージョン番号記憶部２３内のテーブルで、現在の記録面番号に対応するページ番号を、これまでの最大ページ番号＋１に変更し、バージョン番号を０に初期化する（ステップＳ１８）。
【００２４】
図５（Ｂ）はこのテーブル処理の例であり、記録面番号１に対応するページ番号がこれまでの最大ページ数Ｍに１加算されたページ番号が割り当てられ、バージョン番号が０に初期化されている。
以上の処理が終わると再び操作パネル２８の入力待機状態に戻る。
【００２５】
なお、前記実施形態ではシート体がエンドレス形式の場合を説明したが、シート体がロール状（例えばトイレットペーパー状）に巻かれている場合にも、本発明を適用可能であるのは勿論である。
【００２６】
【発明の効果】
以上説明したように本発明によれば、以下の効果を発揮することができる。
請求項１記載の発明によれば、印刷物には、電子黒板に書かれた文字等の画像に加えて、個別の記録面の画像を識別する個別記録面識別符号（ページ番号）と、個別の記録面へのバージョンを識別するバージョン識別符号（バージョン番号）とを同時に印刷するので、印刷物の内容と、個別記録面識別符号とバージョン識別符号を容易に判別できる。
【００２７】
請求項２記載の発明によれば、サマリ印刷物として個別記録面識別符号（ページ番号）と最終のバージョン識別符号（バージョン番号）とを表形式で印刷するので、印刷物の全体のバージョン番号を一目で判別することができる。
【図面の簡単な説明】
【図１】本発明の実施形態のブロック図である。
【図２】（Ａ）は同実施形態における、シート体の記録面の概念を示す図、（Ｂ）は印刷物に印刷されるページ番号とバージョン番号とを示す図である。
【図３】（Ａ）は記録面番号とページ番号とバージョン番号との対応を示す図、（Ｂ）はサマリ印刷の例を示す図、（Ｃ）はページ番号とバージョン番号との対応を示す図である。
【図４】同実施形態における、動作を示すフローチャートである。
【図５】（Ａ）は同実施形態における、記録面番号とページ番号とバージョン番号との対応を示す図、（Ｂ）はページ番号がインクリメントする場合の対応を示す図である。
【図６】
同実施形態における、印刷物の印刷内容を示す図である。
【図７】
従来の回転駆動シート式の電子黒板の概略構成を示す図である。
【符号の説明】
ＤＫ…電子黒板
１０…機構系
１１…シート体
２０…制御系
２１…記録面読取部
２２…記録面スクロール制御部
２３…ページ番号・バージョン番号記憶部
２４…画像記憶部
２５…ページ・バージョン印字部
２６…印刷制御部
２７…表生成部
２８…操作パネル
２８ａ…スクロール指示ボタン
２８ｂ…印刷指示ボタン
２８ｃ…新規ページボタン
２８ｄ…サマリ印刷ボタン
２８ｅ…クリアボタン
２９…中央処理部
【図１】
2004088673.tif 000003
【図２】
2004088673.tif 000004
【図３】
2004088673.tif 000005
【図４】
2004088673.tif 000006
【図５】
2004088673.tif 000007
【図６】
2004088673.tif 000008
【図７】
2004088673.tif 000009